(57)【要約】【課題】  ユーザにとって説明情報中の読みが必要な単語に適切に読みをつけて表示できる情報表示制御装置を実現することである。【解決手段】  入力文字列に適合する読み見出語とその表記見出語の一覧表示の中から、ユーザにより指定された表記見出語の説明情報ＣＴ２５を表示部に表示させる（ａ）。ユーザのジャンプ単語選択操作により選択された単語ＷＤ２５「関東地方」に適合する表記見出語を検索して一覧リストＬＳＴ２７として表示させる（ｂ）。反転表示Ｍ２７によって選択された「かんとうちほう〔関東地方〕」に対応する説明情報ＣＴ２９を一行おきに表示する。このとき、説明情報ＣＴ２９中の文字列のうち、ヒストリテーブルに記憶されているヒストリ見出語「埼玉」と同一の文字列の上部の空行ＳＰ２９に表記見出語「埼玉」の読み見出語「さいたま」を振り仮名ＲＢ２９として表示させる（ｃ）。【選択図】図１８
2006099695.tif 000002
【特許請求の範囲】
【請求項１】
読みと漢字表記とを含む見出語と説明情報とを対応付けて辞書情報として記憶している辞書記憶手段と、
いずれかの見出語を指定する見出語指定手段と、
この見出語指定手段により指定された見出語に対応する説明情報を前記辞書記憶手段に記憶された辞書情報から読み出して表示制御する説明情報表示制御手段と、
前記見出語指定手段により指定された見出語を履歴として記憶する履歴記憶手段と、
前記履歴記憶手段により指定の見出語が履歴として記憶された後に、前記見出語指定手段によりいずれかの見出語が指定され、前記説明情報表示制御手段により、この指定された見出語に対応する説明情報が表示された際に、前記説明情報表示制御手段により表示制御された説明情報に含まれる複数の文字列のうち、前記履歴記憶手段により既に記憶されている見出語の漢字表記と同一の文字列の近傍に、当該見出語の読みを前記辞書情報から読み出して表示する制御を行う読み表示制御手段と、
を備えることを特徴とする情報表示制御装置。
【請求項２】
前記見出語指定手段は、
前記説明情報表示制御手段により表示制御されている説明情報の中からユーザ操作に従って文字列を選択する文字列選択手段と、
この文字列選択手段により選択された文字列に適合する見出語を前記辞書情報中の見出語の中から検索する選択文字列適合見出語検索手段と、
を有し、
前記説明情報表示制御手段は、前記選択文字列適合見出語検索手段により検索された見出語に対応する説明情報を前記記辞書記憶手段に記憶された辞書情報から読み出して表示制御する文字列選択時説明情報表示制御手段を有することを特徴とする請求項１に記載の情報表示制御装置。
【請求項３】
前記読み表示制御手段は、
前記読み出した見出語の読みをローマ字表記で、前記履歴記憶手段により既に記憶されている見出語の漢字表記と同一の文字列の近傍に表示制御するローマ字表記表示制御手段を有することを特徴とする請求項１又は２に記載の情報表示制御装置。
【請求項４】
前記読み表示制御手段は、
前記読み出した見出語の読みを片仮名表記で、前記履歴記憶手段により既に記憶されている見出語の漢字表記と同一の文字列の近傍に表示制御する片仮名表記表示制御手段を有することを特徴とする請求項１〜３の何れか一項に記載の情報表示制御装置。
【請求項５】
見出語と、当該見出語の説明情報と、当該説明情報に含まれる各語句の読みとを対応付けて辞書情報として記憶している辞書記憶手段と、
前記辞書情報中の見出語の中からいずれかの見出語を指定する見出語指定手段と、
読みを表示するか否かを設定する設定手段と、
前記見出語指定手段により指定された見出語に対応する説明情報を前記辞書情報から読み出して表示する制御を行う説明情報表示制御手段と、
前記設定手段による設定が読みを表示する設定の場合に、前記見出語に対応する説明情報に含まれる各語句の読みを前記辞書情報から読み出して、前記説明情報表示制御手段により表示制御されている説明情報に含まれる各語句ごとに各語句の読みを付して表示する第１の読み表示制御手段と、
前記見出語指定手段により指定された見出語を、その指定時の前記設定手段による設定状態を示す情報とともに履歴として記憶する履歴設定記憶手段と、
この履歴設定記憶手段に記憶された見出語のうちのいずれかの見出語を指定する履歴見出語指定手段と、
この履歴見出語指定手段により指定された見出語の対応する説明情報を前記辞書情報から読み出して表示する際に、当該指定された見出語の設定状態が読みを表示する設定の場合に、前記見出語に対応する説明情報に含まれる各語句の読みを前記辞書情報から読み出して、説明情報に含まれる各語句ごとに各語句の読みを付して表示する制御を行う第２の読み表示制御手段とを備えることを特徴とする情報表示制御装置。
【請求項６】
コンピュータに、
読みと漢字表記とを含む見出語と説明情報とを対応付けて辞書情報として記憶する辞書記憶機能と、
いずれかの見出語を指定する見出語指定機能と、
この見出語指定機能により指定された見出語に対応する説明情報を前記辞書記憶機能により記憶された辞書情報から読み出して表示制御する説明情報表示制御機能と、
前記見出語指定機能により指定された見出語を履歴として記憶する履歴記憶機能と、
前記履歴記憶機能により指定の見出語が履歴として記憶された後に、前記見出語指定機能によりいずれかの見出語が指定され、前記説明情報表示制御機能により、この指定された見出語に対応する説明情報が表示された際に、前記説明情報表示制御機能により表示制御された説明情報に含まれる複数の文字列のうち、前記履歴記憶機能により既に記憶されている見出語の漢字表記と同一の文字列の近傍に、当該見出語の読みを前記辞書情報から読み出して表示する制御を行う読み表示制御機能と、
を実現させるためのプログラム。
【請求項７】
コンピュータに、
見出語と、当該見出語の説明情報と、当該説明情報に含まれる各語句の読みとを対応付けて辞書情報として記憶している辞書記憶機能と、
前記辞書情報中の見出語の中からいずれかの見出語を指定する見出語指定機能と、
読みを表示するか否かを設定する設定機能と、
前記見出語指定機能により指定された見出語に対応する説明情報を前記辞書情報から読み出して表示する制御を行う説明情報表示制御機能と、
前記設定機能による設定が読みを表示する設定の場合に、前記見出語に対応する説明情報に含まれる各語句の読みを前記辞書情報から読み出して、前記説明情報表示制御機能により表示制御されている説明情報に含まれる各語句ごとに各語句の読みを付して表示する第１の読み表示制御機能と、
前記見出語指定機能により指定された見出語を、その指定時の前記設定機能による設定状態を示す情報とともに履歴として記憶する履歴設定記憶機能と、
この履歴設定記憶機能に記憶された見出語のうちのいずれかの見出語を指定する履歴見出語指定機能と、
この履歴見出語指定機能により指定された見出語の対応する説明情報を前記辞書情報から読み出して表示する際に、当該指定された見出語の設定状態が読みを表示する設定の場合に、前記見出語に対応する説明情報に含まれる各語句の読みを前記辞書情報から読み出して、説明情報に含まれる各語句ごとに各語句の読みを付して表示する制御を行う第２の読み表示制御機能と
を実現させるためのプログラム。
【発明の詳細な説明】
【技術分野】
【０００１】
本発明は、情報表示制御装置及びプログラムに関する。
【背景技術】
【０００２】
従来から、国語辞典、英和辞書、漢和辞典等、数種類の辞書データベース（以下、データベースを「ＤＢ」という。）が組み込まれた電子辞書装置（以下、「電子辞書」という。）と呼ばれる情報表示制御装置が知られている。
【０００３】
図２５（ａ）は、従来の電子辞書１００の概観の一例を示す図である。同図のように、電子辞書１００は、ディスプレイ３と、操作入力キー群５００とを備えている。
【０００４】
操作入力キー群５００の各キーにはそれぞれ固有の機能が割り当てられており、ユーザによってこれらのキーが押下されて、電子辞書１００が操作される。具体的には同図（ｂ）のように、操作の確定指示を入力する訳／決定キー５１０、カーソルの移動指示等を入力するカーソルキー５２０、文字入力キー５３０、直前の表示画面に表示を戻すための戻るキー５４０、過去に検索した見出語の一覧を表示させるためのヒストリキー５５０ａ、説明情報中の文字列に適合する見出語を再検索させるためのジャンプキー５５０ｂ、辞書種別を選択するための辞書選択キー５６０等を備えている。辞書選択キー５６０には、電子辞書１００が内蔵する各種辞書ＤＢが対応付けられており、国語キー５６０ａ、英和キー５６０ｂキー及び漢和キー５６０ｃ等を備えて構成される。
【０００５】
辞書ＤＢは、見出語と当該見出語を説明解説等する説明情報とが対応付けられた情報を集合した辞書情報を、コンピュータを用いて検索処理することができるように体系的に構成されたものである。例えば、国語辞典ＤＢにおいては、語句（表記見出語）とその語句の読み（読み見出語）と説明情報とが対応付けられている。
【０００６】
ユーザは、文字入力キー５３０を押下して文字列を入力して（このユーザにより入力された文字列を「入力文字列」という。）、訳／決定キー５１０を押下することにより、入力文字列に適合する読み見出語の表記見出語に対応する説明情報を表示させることができる。例えば、図２６（ａ）に示すような表示画面Ｗ１００において入力欄ＡＲ１００に文字列Ｃ１００として「さいたま」を入力して訳／決定キー５１０を押下すると、文字列Ｃ１００「さいたま」と一致する読み見出語Ｗ１００「さいたま」と、当該読み見出語に対応する表記見出語ＷＤ１０２「埼玉」及び説明情報ＣＴ１００とが同図（ｂ）のように表示される。
【０００７】
このように文字列を入力して、入力文字列に適合する見出語を検索する検索方法を通常検索という。これに対して、説明情報中の一部の文字列を選択し、当該文字列に適合する見出語を再検索する検索方法があり、この検索方法をジャンプ検索という。
【０００８】
このジャンプ検索を用いて、例えば、説明情報ＣＴ１００中の「関東地方」という語句ＷＤ１０４に適応する表記見出語を検索することができる。具体的には、ジャンプキー５５０ｂを押下して表示された反転表示Ｍ１００で語句ＷＤ１０２の先頭文字「関」を選択して、訳／決定キー５１０を押下すると（図２６（ｂ））、語句ＷＤ１０４「関東地方」と前方一致する読み見出語及び表記見出語のリストＬＳＴ１００が一覧表示される（図２６（ｃ））。そして、「かんとうちほう〔関東地方〕」を選択して訳／決定キー５１０を押下すると、説明情報ＣＴ１０２が表示される（図２６（ｄ））。
【０００９】
このようにして、説明情報中の語句に適合する表記見出語を検索して、その語句の説明情報や読み見出語を表示させることができる。従って、ジャンプ検索を利用することで、例えば、説明情報中の語句の読みが分からない場合には、その読みを調べることもできる。
【００１０】
このような語句の読みに関する技術として次のようなものが知られている。即ち、日本語の単語と、この日本語の単語に含まれる漢字の読みとを対応付けて予め格納しておき、英語の翻訳時に、翻訳した日本語の単語に漢字が含まれている場合には、当該単語に対応付けられている読みを読み出すことによって、漢字の読みを表示して読み（振り仮名）表示する技術である（特許文献１参照）。
【特許文献１】特開平６−１１９３７９号公報
【発明の開示】
【発明が解決しようとする課題】
【００１１】
この特許文献１の技術では、ユーザが表示させた説明情報中の単語全てに読みが表示されてしまい、ユーザにとって不必要な単語にまで読みが表示されてしまい、その説明情報の表示は見苦しいものになってしまう。また、全体的に簡単な内容の説明情報中の単語に読みつけるとかえって煩わしい場合もある。
【００１２】
本発明は、上述した課題に鑑みて為されたものであり、その目的とするところは、ユーザにとって説明情報中の読みが必要な単語に適切に読みをつけて表示できる情報表示制御装置を実現することである。
また、ユーザにとって読みが必要な見出語について、適切に説明情報中に読みをつけて表示できる情報表示制御装置を実現することである。
【課題を解決するための手段】
【００１３】
以上の課題を解決するために、請求項１に記載の情報表示制御装置は、
読みと漢字表記とを含む見出語と説明情報とを対応付けて辞書情報として記憶している辞書記憶手段（例えば、図１２のフラッシュＲＯＭ４０−１；図１３の国語辞典ＤＢ４９）と、
いずれかの見出語を指定する見出語指定手段（例えば、図１の操作入力キー群５；図２のＣＰＵ１０、入力部２０；図１５のステップＢ９）と、
この見出語指定手段により指定された見出語に対応する説明情報を前記辞書記憶手段に記憶された辞書情報から読み出して表示制御する説明情報表示制御手段（例えば、図１のディスプレイ３；図２のＣＰＵ１０、表示部３０；図１５のステップＢ１７）と、
前記見出語指定手段により指定された見出語を履歴として記憶する履歴記憶手段（例えば、図２のＣＰＵ１０、フラッシュＲＯＭ４０−１；図１４のヒストリテーブル４５−１；図１５のステップＢ１５）と、
前記履歴記憶手段により指定の見出語が履歴として記憶された後に、前記見出語指定手段によりいずれかの見出語が指定され、前記説明情報表示制御手段により、この指定された見出語に対応する説明情報が表示された際に、前記説明情報表示制御手段により表示制御された説明情報に含まれる複数の文字列のうち、前記履歴記憶手段により既に記憶されている見出語の漢字表記と同一の文字列の近傍に、当該見出語の読みを前記辞書情報から読み出して表示する制御を行う読み表示制御手段（例えば、図１のディスプレイ３；図２のＣＰＵ１０、表示部３０；図１５のステップＢ２３→Ｂ２５〜Ｂ２７→Ｂ２９）と、
を備えることを特徴としている。
【００１４】
請求項２に記載の発明は、請求項１に記載の情報表示制御装置であって、
前記見出語指定手段は、
前記説明情報表示制御手段により表示制御されている説明情報の中からユーザ操作に従って文字列を選択する文字列選択手段（例えば、図１の操作入力キー群５；図２のＣＰＵ１０、入力部２０；図１６のステップＢ４３）と、
この文字列選択手段により選択された文字列に適合する見出語を前記辞書情報中の見出語の中から検索する選択文字列適合見出語検索手段（例えば、図２のＣＰＵ１０；図１６のステップＢ４５）と、
を有し、
前記説明情報表示制御手段は、前記選択文字列適合見出語検索手段により検索された見出語に対応する説明情報を前記辞書情報記憶手段に記憶された辞書情報から読み出して表示制御する文字列選択時説明情報表示制御手段（例えば、図２のＣＰＵ１０、表示部３０；図１５のステップＢ１７）を有することを特徴としている。
【００１５】
請求項３に記載の発明は、請求項１又は２に記載の情報表示制御装置であって、
前記読み表示制御手段は、
前記読み出した見出語の読みをローマ字表記で、前記履歴記憶手段により既に記憶されている見出語の漢字表記と同一の文字列の近傍に表示制御するローマ字表記表示制御手段（例えば、図２のＣＰＵ１０、表示部３０；図１５のステップＢ３５〜Ｂ３７）を有することを特徴としている。
【００１６】
請求項４に記載の発明は、請求項１〜３の何れか一項に記載の情報表示制御装置であって、
前記読み表示制御手段は、
前記読み出した見出語の読みを片仮名表記で、前記履歴記憶手段により既に記憶されている見出語の漢字表記と同一の文字列の近傍に表示制御する片仮名表記表示制御手段（例えば、図２のＣＰＵ１０、表示部３０；図１５のステップＢ３１〜Ｂ３３）を有することを特徴としている。
【００１７】
請求項５に記載の情報表示制御装置は、
見出語と、当該見出語の説明情報と、当該説明情報に含まれる各語句の読みとを対応付けて辞書情報として記憶している辞書記憶手段（例えば、図２のフラッシュＲＯＭ４０；図３の英和辞書ＤＢ４１）と、
前記辞書情報中の見出語の中からいずれかの見出語を指定する見出語指定手段（例えば、図１の操作入力キー群５；図２のＣＰＵ１０、入力部２０；図７のステップＡ３７）と、
読みを表示するか否かを設定する設定手段（例えば、図１のフリガナキー５７０；図２のＣＰＵ１０；図６のステップＡ１；図７のステップＡ４９）と、
前記見出語指定手段により指定された見出語に対応する説明情報を前記辞書情報から読み出して表示する制御を行う説明情報表示制御手段（例えば、図１のディスプレイ３；図２のＣＰＵ１０、表示部３０；図７のステップＡ４７、Ａ５５）と、
前記設定手段による設定が読みを表示する設定の場合に、前記見出語に対応する説明情報に含まれる各語句の読みを前記辞書情報から読み出して、前記説明情報表示制御手段により表示制御されている説明情報に含まれる各語句ごとに各語句の読みを付して表示する第１の読み表示制御手段（例えば、図１のディスプレイ３；図２のＣＰＵ１０、表示部３０；図７のステップＡ４５→Ａ５５〜Ａ５９→Ａ６１）と、
前記見出語指定手段により指定された見出語を、その指定時の前記設定手段による設定状態を示す情報（例えば、図５の検索時表示状態）とともに履歴として記憶する履歴設定記憶手段（例えば、図２のＣＰＵ１０、フラッシュＲＯＭ４０；図５のヒストリテーブル４５；図７のステップＡ４３）と、
この履歴設定記憶手段に記憶された見出語のうちのいずれかの見出語を指定する履歴見出語指定手段（例えば、図２のＣＰＵ１０、入力部２０；図６のステップＡ１５→Ａ１７；図７のステップＡ５１、Ａ７１）と、
この履歴見出語指定手段により指定された見出語の対応する説明情報を前記辞書情報から読み出して表示する際に、当該指定された見出語の設定状態が読みを表示する設定の場合に、前記見出語に対応する説明情報に含まれる各語句の読みを前記辞書情報から読み出して、説明情報に含まれる各語句ごとに各語句の読みを付して表示する制御を行う第２の読み表示制御手段（例えば、図１のディスプレイ３；図２のＣＰＵ１０、表示部３０；図６のステップＡ２１〜Ａ２３→Ａ２５；図７のステップＡ５３〜Ａ５９→Ａ６１）と
を備えることを特徴としている。
【００１８】
請求項６に記載のプログラムは、コンピュータに、
読みと漢字表記とを含む見出語と説明情報とを対応付けて辞書情報として記憶する辞書記憶機能（例えば、図１２のフラッシュＲＯＭ４０−１；図１３の国語辞典ＤＢ４９）と、
いずれかの見出語を指定する見出語指定機能（例えば、図２のＣＰＵ１０；図１５のステップＢ９）と、
この見出語指定機能により指定された見出語に対応する説明情報を前記辞書記憶機能により記憶された辞書情報から読み出して表示制御する説明情報表示制御機能（例えば、図２のＣＰＵ１０；図１５のステップＢ１７）と、
前記見出語指定機能により指定された見出語を履歴として記憶する履歴記憶機能（例えば、図２のＣＰＵ１０；図１５のステップＢ１５）と、
前記履歴記憶機能により指定の見出語が履歴として記憶された後に、前記見出語指定機能によりいずれかの見出語が指定され、前記説明情報表示制御機能により、この指定された見出語に対応する説明情報が表示された際に、前記説明情報表示制御機能により表示制御された説明情報に含まれる複数の文字列のうち、前記履歴記憶機能により既に記憶されている見出語の漢字表記と同一の文字列の近傍に、当該見出語の読みを前記辞書情報から読み出して表示する制御を行う読み表示制御機能（例えば、図２のＣＰＵ１０；図１５のステップＢ２３→Ｂ２５〜Ｂ２７→Ｂ２９）と、
を実現させることを特徴としている。
【００１９】
請求項７に記載のプログラムは、コンピュータに、
見出語と、当該見出語の説明情報と、当該説明情報に含まれる各語句の読みとを対応付けて辞書情報として記憶する辞書記憶機能（例えば、図２のフラッシュＲＯＭ４０；図３の英和辞書ＤＢ４１）と、
前記辞書情報中の見出語の中からいずれかの見出語を指定する見出語指定機能（例えば、図２のＣＰＵ１０；図７のステップＡ３７）と、
読みを表示するか否かを設定する設定機能（例えば、図２のＣＰＵ１０；図６のステップＡ１；図７のステップＡ４９）と、
前記見出語指定機能により指定された見出語に対応する説明情報を前記辞書情報から読み出して表示する制御を行う説明情報表示制御機能（例えば、図２のＣＰＵ１０；図７のステップＡ４７、Ａ５５）と、
前記設定機能による設定が読みを表示する設定の場合に、前記見出語に対応する説明情報に含まれる各語句の読みを前記辞書情報から読み出して、前記説明情報表示制御機能により表示制御されている説明情報に含まれる各語句ごとに各語句の読みを付して表示する第１の読み表示制御機能（例えば、図２のＣＰＵ１０；図７のステップＡ４５→Ａ５５〜Ａ５９→Ａ６１）と、
前記見出語指定機能により指定された見出語を、その指定時の前記設定機能による設定状態を示す情報（例えば、図５の検索辞表時状態）とともに履歴として記憶する履歴設定記憶機能（例えば、図２のＣＰＵ１０；図７のステップＡ４３）と、
この履歴設定記憶機能に記憶された見出語のうちのいずれかの見出語を指定する履歴見出語指定機能（例えば、図２のＣＰＵ１０；図６のステップＡ１５→Ａ１７；図７のステップＡ５１、Ａ７１）と、
この履歴見出語指定機能により指定された見出語の対応する説明情報を前記辞書情報から読み出して表示する際に、当該指定された見出語の設定状態が読みを表示する設定の場合に、前記見出語に対応する説明情報に含まれる各語句の読みを前記辞書情報から読み出して、説明情報に含まれる各語句ごとに各語句の読みを付して表示する制御を行う第２の読み表示制御機能（例えば、図２のＣＰＵ１０；図６のステップＡ２１〜Ａ２３→Ａ２５；図７のステップＡ５３〜Ａ５９→Ａ６１）と
を実現させることを特徴としている。
【発明の効果】
【００２０】
請求項１の発明によれば、指定された見出語に対応する説明情報を表示させるとともに、指定された見出語を履歴として記憶した後に、いずれかの見出語が指定され、指定された見出語に対応する説明情報が表示された際に、表示制御された説明情報に含まれる複数の文字列のうち、既に履歴として記憶されている見出語の漢字表記と同一の文字列の近傍に、当該見出語の読みを前記辞書情報から読み出して表示することができる。例えば、ユーザにとって難しい見出語を指定して説明情報を表示させた単語についてのみ読みが表示されるようになり、ユーザにとって説明情報中の読みが必要な単語に適切に読みをつけて表示できる。
【００２１】
請求項２に記載の発明によれば、請求項１に記載の発明と同様の効果が得られるのは無論のこと、ユーザ操作に従って選択した説明情報中の文字列に適合する見出語に対応する説明情報を表示する情報表示制御装置が実現される。
【００２２】
請求項３に記載の発明によれば、請求項１又は２に記載の発明と同様の効果が得られるのは無論のこと、説明情報中の文字列のうち、過去に検索された見出語と同一の文字列の近傍に、当該見出語の読みをローマ字表記で表示する情報表示制御装置が実現される。
【００２３】
請求項４に記載の発明によれば、請求項１〜３の何れか一項に記載の発明と同様の効果が得られるのは無論のこと、説明情報中の文字列のうち、過去に検索された見出語と同一の文字列の近傍に、当該見出語の読みを片仮名表記で表示する情報表示制御装置が実現される。
【００２４】
請求項５記載の発明によれば、読みを表示するか否かを設定する設定手段を有し、見出語を指定して、説明情報を表示させるときに、読みを表示する設定の場合は、説明情報に含まれる各語句ごとに各語句の読みを付して表示する。そして、指定した見出語を、その指定時の前記設定手段による設定状態を示す情報とともに履歴として記憶する。そして、履歴として記憶した見出語を指定して、その見出語の説明情報を表示させる際に、当該指定された見出語の設定状態が読みを表示する設定の場合に、前記見出語に対応する説明情報に含まれる各語句の読みを前記辞書情報から読み出して、説明情報に含まれる各語句ごとに各語句の読みを付して表示する。従って、ユーザが見出語の説明情報を表示させるときに、読みを表示させた見出語について、再度表示させる時に、適切に読みを表示させることができ、ユーザにとって読みが必要な見出語について、適切に説明情報中に読みをつけて表示できる。
【発明を実施するための最良の形態】
【００２５】
〔第１実施形態〕
先ず、本発明の情報表示制御装置を電子辞書に適用した場合の第１実施形態について図１〜図１１を参照して詳細に説明する。
【００２６】
図１（ａ）は、電子辞書１の概観の一例を示す図である。同図（ａ）のように、電子辞書１は、ディスプレイ３と、操作入力キー群５とを備えている。また、同図（ｂ）において操作入力キー群５は、同２５（ｂ）に示した従来の電子辞書１００の操作入力キー群５００にフリガナキー５７０が追加されて構成される。フリガナキー５７０は、振り仮名（読み）を説明情報中に表示させるためのキーである。尚、従来の電子辞書１００と同一のキーについての説明は省略する。
【００２７】
ユーザは、電子辞書１の使用開始時に、振り仮名の表示設定を行う。具体的には、電子辞書１を起動した後、英和キー５６０ｂを押下すると、図８（ａ）のような振り仮名設定画面Ｗ１が表示される。この振り仮名設定画面Ｗ１では、振り仮名の「常時表示」のＯＮ／ＯＦＦ（有効／無効）と、振り仮名の「表示文字種」とを設定する。
【００２８】
振り仮名の「常時表示」とは、説明情報の表示時に振り仮名を表示させるか否かの設定である。ユーザが、「常時表示」をＯＮ（有効）に設定した場合、検索した見出語の説明情報には常に振り仮名が表示される。また、「常時表示」をＯＦＦ（無効）に設定した場合は、説明情報に振り仮名は表示されなくなる。しかし、説明情報の表示時にフリガナキー５７０を押下することにより、当該説明情報に振り仮名を表示させることができる。
【００２９】
振り仮名の「表示文字種」には、例えば、ひらがな、カタカナ及びローマ字の３種の文字種がある、ユーザが選択した文字種で振り仮名が表示される。
【００３０】
図２は、電子辞書１の機能構成の一例を示すブロック図である。同図によれば、電子辞書１は、ＣＰＵ（Central Processing Unit）１０と、入力部２０と、表示部３０と、フラッシュＲＯＭ（Read Only Memory）４０と、ＲＡＭ（Random Access Memory）５０とがバス６０に接続されて構成されている。
【００３１】
ＣＰＵ１０は、入力される指示に応じて所定のプログラムに基づいた処理を実行し、各機能部への指示やデータの入出力を行う。具体的には、ＣＰＵ１０は、入力部２０から入力される操作信号に応じてフラッシュＲＯＭ４０に格納されたプログラムを読み出し、当該プログラムに従って処理を実行する。そして、処理結果を表示するための表示データを表示部３０に出力し、当該表示データに従った表示画面を表示部３０に表示させる。
【００３２】
入力部２０は、仮名、アルファベット等の文字入力や機能選択等に必要なキー群を備え、押下されたキーの押下信号等をＣＰＵ１０に出力する。この入力部２０におけるキー入力により、カーソルの移動、辞書種別の選択、文字入力、確定指示の入力等が実現される。尚、この入力部２０は、図１に示す操作入力キー群５に相当するものである。
【００３３】
表示部３０は、ＣＰＵ１０から入力される表示データに基づいて各種画面を表示させるための表示装置であり、ＬＣＤ（Liquid Crystal Display）等により構成される。尚、この表示部３０は、図１に示すディスプレイ３に相当するものである。
【００３４】
フラッシュＲＯＭ４０は、読み書き可能な不揮発性の記憶領域であり、各種初期設定、ハードウェアの検査、又は必要なプログラムのロード等を行うための初期プログラムを格納する。ＣＰＵ１０は、電子辞書１の電源投入時にこの初期プログラムを実行することにより、電子辞書１の動作環境を設定する。また、フラッシュＲＯＭ４０は、電子辞書１の動作に係る種々の機能を実現するためのデータやプログラムを格納する。
【００３５】
図２によれば、フラッシュＲＯＭ４０は、英和辞書ＤＢ４１と、振り仮名設定情報４３と、ヒストリテーブル４５と、第１辞書検索プログラム４７とを格納する。
【００３６】
英和辞書ＤＢ４１は、見出語番号と、見出語と、当該見出語の説明情報と、振り仮名情報とを対応付けたレコードを集合して記憶するデータテーブルである。振り仮名情報とは、説明情報に平仮名の振り仮名を表示させるためのデータであり、説明情報中の漢字一字ずつの振り仮名（読み）の集合である。また、英和辞書ＤＢ４１に格納されるレコードは、各レコードに含まれる見出語のアルファベット順に予め整列されている。
【００３７】
図３は、英和辞書ＤＢ４１のテーブル構成の一例を示す図である。同図によれば、例えば、見出語番号「４」に、見出語「Ａ」と説明情報「記号＜英＞（映画が）１４歳未満は親の・・・」と振り仮名情報「き、ごう、えい、えい、・・・」と対応付けられて記憶されている。説明情報中の漢字一字ずつと、振り仮名情報中の振り仮名とは一対一で対応しており、例えば、「記」に「き」が、「号」に「ごう」が対応している。ＣＰＵ１０は、説明情報中の漢字に対応する振り仮名を振り仮名情報から読み出して、当該漢字の近傍（例えば、漢字の上部）に表示させる（この漢字の近傍に振り仮名を表示させることを以下「併記表示」という。）。
【００３８】
振り仮名設定情報４３は、常時表示ＯＮ／ＯＦＦ４３ａと、表示文字種４３ｂと、文字変換テーブル４３ｃとを有して構成される。常時表示ＯＮ／ＯＦＦ４３ａと、表示文字種４３ｂとは、上述した振り仮名設定画面Ｗ１でのユーザの初期設定操作に応じて設定される設定情報である。
【００３９】
常時表示ＯＮ／ＯＦＦ４３ａとは、振り仮名の「常時表示」を有効にするか否かを表す設定情報である。常時表示ＯＮ／ＯＦＦ４３ａが“ＯＮ”の場合は、説明情報の表示の度に振り仮名を併記表示し、“ＯＦＦ”の場合は、振り仮名の併記表示は行わない。但し、“ＯＦＦ”の場合に、説明情報の表示時にフリガナキー５７０が押下されたときは、振り仮名の併記表示を行う。
【００４０】
表示文字種４３ｂとは、併記表示する振り仮名の文字種であり、ひらがな、カタカナ及びローマ字の何れかが設定される。
【００４１】
文字変換テーブル４３ｃは、ひらがな文字と、カタカナ文字と、ローマ字とを対応付けて格納するデータテーブルであり、振り仮名情報の振り仮名をカタカナ又はローマ字に変換するために用いられる。図４は、文字変換テーブル４３ｃのテーブル構成の一例を示す図である。同図によれば、例えば、ひらがな文字「き」にカタカナ文字「キ」とローマ字「ｋｉ」とが対応付けられて格納されている。
【００４２】
ＣＰＵ１０は、表示文字種４３ｂに基づいて振り仮名を片仮名又はローマ字に変換する。例えば、表示文字種４３ｂが「カタカナ」に設定されていれば、振り仮名のひらがな文字を当該文字に対応するカタカナ文字に置き換えることで平仮名の振り仮名を片仮名に変換する。より具体的には、例えば、振り仮名中のひらがな文字が「き」の場合、当該文字を対応するカタカナ文字の「キ」に置き換え、「ご」であれば「ゴ」に置き換える。これにより、「きごう」という振り仮名は「キゴウ」というカタカナに変換される。同様にして、表示文字種４３ｂが「ローマ字」であった場合には、振り仮名をローマ字に変換する。尚、表示文字種４３ｂが「ひらがな」であった場合には、ＣＰＵ１０は、振り仮名の文字変換は行わない。
【００４３】
ヒストリテーブル４５は、図５に示すデータ構造の通りに、見出語番号と、サーチフラグと、その他のフラグと、検索時表示状態とを対応付けてヒストリデータとして蓄積的に記憶するデータテーブルである。サーチフラグとは、見出語番号に対応する見出語の検索時における通常検索やジャンプ検索等の検索方法を表す情報であり、その他のフラグとは、例えば、表示した説明情報の文字の大小や書体等のフォントに関する情報である。検索時表示状態とは、検索時の説明情報に振り仮名を併記表示したか否か識別する識別情報である。
【００４４】
ＣＰＵ１０は、ユーザにより検索された見出語（指定見出語５５）に対応する見出語番号を、その検索順に時系列にヒストリテーブル４５に登録する。この登録の際、ＣＰＵ１０は、登録する見出語番号が既にヒストリテーブル４５に記憶されているか否かを判定し、記憶されていなければ、検索方法と、フォントの大小と、常時表示ＯＮ／ＯＦＦ４３ａとを取得して、当該見出語番号と共に、サーチフラグ、その他のフラグ及び検索時表示状態としてヒストリテーブル４５に追加記憶する。登録する見出語番号が既にヒストリテーブル４５に記憶されていた場合は、その見出語番号を含むヒストリデータをヒストリテーブル４５の先頭に移動して、ヒストリテーブル４５を更新する。
【００４５】
図５によれば、例えば、見出語番号「４」にサーチフラグ「通常検索」と、その他のフラグ「フォント大」と、検索時表示状態「ＯＮ」とが対応付けられて最新のヒストリデータとして格納されている。これは、見出語番号「４」の見出語、即ち見出語「Ａ」がユーザにより最後に検索され、当該見出語の検索方法が通常検索、説明情報の表示フォントが「大」であり、説明情報に振り仮名が併記表示されたということを表している。
【００４６】
第１辞書検索プログラム４７は、第１実施形態に係る第１辞書検索処理（図６及び７参照）を実現するためのプログラムである。具体的には、ＣＰＵ１０は、英和キー５６０ｂが押下されたことを検知すると、第１辞書検索プログラム４７をフラッシュＲＯＭ４０から読み出すことで、第１辞書検索処理を開始する。
【００４７】
ＲＡＭ５０は、ＣＰＵ１０が実行する各種プログラムやこれらプログラムの実行に係るデータ等を一時的に保管する記憶領域を備える。図２によれば、ＲＡＭ５０は、入力文字列５１と、見出語候補リスト５３と、指定見出語５５とを格納する。入力文字列５１は、ユーザの文字入力キー５３０の押下によって入力された文字列である。
【００４８】
見出語候補リスト５３は、ＣＰＵ１０によって英和辞書ＤＢ４１から読み出された見出語である。具体的には、入力文字列５１と一致、或いは前方一致する見出語が英和辞書ＤＢ４１から選択され、当該見出語を先頭にしてアルファベット順に英和辞書ＤＢ４１から所定数の見出語が見出語候補として読み出されて、見出語候補リスト５３としてＲＡＭ５０に記憶される。尚、入力文字列５１と一致、或いは前方一致する見出語を、「入力文字列５１に適合する見出語」ということとする。
【００４９】
指定見出語５５は、ユーザにより指定された見出語候補リスト５３中の見出語候補である。
【００５０】
次に、電子辞書１の第１辞書検索処理の具体的な処理を図６〜７のフローチャートを用いて説明する。
【００５１】
先ず、ＣＰＵ１０は、第１辞書検索処理を開始し、ユーザの初期設定操作に応じて、フラッシュＲＯＭ４３の常時表示ＯＮ／ＯＦＦ４３ａ及び表示文字種４３ｂの設定を行う（ステップＡ１〜Ａ３）。そして、入力された文字列を入力文字列５１としてＲＡＭ５０に記憶し（ステップＡ５）、入力文字列５１に適合する見出語を英和辞書ＤＢ４１から検索する（ステップＡ７）。ＣＰＵ１０は、検索した見出語以降の見出語を英和辞書ＤＢ４１から読み出して見出語候補リスト５３としてＲＡＭ５０に記憶する（ステップＡ９）。
【００５２】
そして、見出語候補リスト５３の先頭から１つ見出語候補を選択し（この選択した見出語候補を以下「選択見出語候補」という。）、選択見出語候補に対応する説明情報の先頭部分（例えば、１０文字）を英和辞書ＤＢ４１から読み出す（ステップＡ１１〜Ａ１３）。ＣＰＵ１０は、選択見出語候補の見出語番号がヒストリテーブル４５に記憶済か否かを判定し（ステップＡ１５）、記憶済ではないと判定した場合は（ステップＡ１５：Ｎｏ）、選択見出語候補と読み出した説明情報の先頭部分とを表示部３０に表示させる（ステップＡ１９）。
【００５３】
ステップＡ１５において選択見出語候補の見出語番号が記憶済であると判定した場合（ステップＡ１５：Ｙｅｓ）、ＣＰＵ１０は、選択見出語候補の見出語番号を含むヒストリデータを指定して、当該データの検索時表示状態が“ＯＮ”であるか否かを判定する（ステップＡ１７）。検索時表示状態が“ＯＦＦ”であると判定した場合（ステップＡ１７：Ｎｏ）、選択見出語候補と読み出した説明情報の先頭部分とを表示部３０に表示させる（ステップＡ１９）。
【００５４】
ステップＡ１７において検索時表示状態が“ＯＮ”であると判定した場合は（ステップＡ１７：Ｙｅｓ）、ステップＡ１３で読み出した説明情報中の漢字の数分の振り仮名を、選択見出語候補に対応する振り仮名情報の中から読み出す（ステップＡ２１）。
【００５５】
そして、ＣＰＵ１０は、表示文字種４３ｂを判定して（ステップＡ２３）、その判定結果に応じて読み出した振り仮名の文字変換及び表示を行う。表示文字種４３ｂが「ひらがな」であった場合は（ステップＡ２３：ひらがな）、当該振り仮名をステップＡ１３で読み出した説明情報の先頭部分に併記して、選択見出語候補と共に表示させる（ステップＡ２５）。
【００５６】
表示文字種４３ｂが「カタカナ」であった場合は（ステップＡ２３：カタカナ）、当該振り仮名を片仮名に変換し、その変換した振り仮名を、読み出した説明情報の先頭部分に併記して、選択見出語候補と共に表示させる（ステップＡ２７〜Ａ２９）。
【００５７】
表示文字種４３ｂが「ローマ字」であった場合は（ステップＡ２３：ローマ字）、当該振り仮名をローマ字に変換し、その変換した振り仮名を。読み出した説明情報の先頭部分に併記して、選択見出語候補と共に表示させる（ステップＡ３１〜Ａ３３）。
【００５８】
ＣＰＵ１０は、ステップＡ１９、Ａ２５、Ａ２９又はＡ３３の処理の後、見出語候補リスト５３に選択する次の見出語候補が有るか否かを判定し、有りと判定した場合は（ステップＡ３５：Ｙｅｓ）、ステップＡ１１の処理へ移行する。従って、ＣＰＵ１０は、見出語候補リスト５３内の見出語候補の全てを選択し終えるまで、ステップＡ１１〜Ａ３５の処理を繰り返す。尚、ステップＡ１９、Ａ２５、Ａ２７及びＡ３３は、ステップＡ１１〜Ａ３５の繰り返し処理の直前の処理で表示された見出語候補及び説明情報の次の行に見出語候補及び説明情報をリスト表示する処理である。これにより、図８（ｂ）のような一覧リストＬＳＴ３や図９（ｂ）のような一覧リストＬＳＴ９が生成される。
【００５９】
ＣＰＵ１０は、ステップＡ３５において次の見出語候補がないと判定した場合は（ステップＡ３５：Ｎｏ）、表示した見出語候補の中から１つの見出語候補がユーザにより指定されるまで待機する（ステップＡ３７）。見出語候補が指定されたことを検知した場合は（ステップＡ３７：Ｙｅｓ）、指定された見出語候補を指定見出語５５としてＲＡＭ５０に記憶して、指定見出語５５の見出語番号がヒストリテーブル４５に記憶済か否かを判定する（ステップＡ３９）。
【００６０】
ヒストリテーブル４５に記憶済であると判定した場合（ステップＡ３９：Ｙｅｓ）、ＣＰＵ１０は、指定見出語５５の見出語番号を含むヒストリデータをヒストリテーブル４５の先頭に移動して、ヒストリテーブル４５を更新する（ステップＡ４１）。また、記憶済ではないと判定した場合は（ステップＡ３９：Ｎｏ）、検索時の検索方法、説明情報の表示フォント及び常時表示ＯＮ／ＯＦＦ４３ａを取得して、指定見出語５５の見出語番号と共に、サーチフラグ、その他のフラグ及び検索時表示状態としてヒストリテーブル４５に追加記憶する（ステップＡ４３）。
【００６１】
ＣＰＵ１０は、ステップＡ４１又はＡ４３の処理後、フラッシュＲＯＭ４０の常時表示ＯＮ／ＯＦＦ４３ａが“ＯＮ”であるか否かを判定する（ステップＡ４５）。常時表示ＯＮ／ＯＦＦ４３ａが“ＯＮ”であると判定した場合は（ステップＡ４５：Ｎｏ）、指定見出語５５に対応する説明情報を英和辞書ＤＢ４１から読み出して一行おきに表示部３０に表示させる（ステップＡ５５）。
【００６２】
そして、ＣＰＵ１０は、指定見出語５５に対応する振り仮名情報を読み出した後、表示文字種４３ｂを判定する（ステップＡ５７〜Ａ５９）。表示文字種４３ｂが「ひらがな」であった場合は（ステップＡ５９：ひらがな）、読み出した振り仮名情報の振り仮名を説明情報中の漢字に対応するように当該説明情報の行間に併記表示させる（ステップＡ６１）。
【００６３】
また、表示文字種４３ｂが「カタカナ」であった場合は、当該振り仮名情報を片仮名に変換し（ステップＡ５９→Ａ６３）、表示文字種４３ｂがローマ字であった場合は、当該振り仮名情報をローマ字に変換して（ステップＡ５９→Ａ６７）、その変換した振り仮名情報をステップＡ６１と同様に、読み出した説明情報の行間に併記表示させる（ステップＡ６５、Ａ６９）。従って、「常時表示」が“ＯＮ”、即ち、振り仮名を表示する設定である場合は、ユーザにより指定された見出語の説明情報に振り仮名が常に併記表示されることとなる。
【００６４】
ステップＡ４５において、常時表示ＯＮ／ＯＦＦ４３ａが“ＯＦＦ”であると判定した場合は（ステップＡ４５：Ｎｏ）、指定見出語５５に対応する説明情報を読み出して表示部３０に表示させる（ステップＡ４７）。
【００６５】
ＣＰＵ１０は、フリガナキー５７０が押下されたか否かを判定して（ステップＡ４９）、押下されたと判定した場合は（ステップＡ４９：Ｙｅｓ）、ヒストリテーブル４５の先頭のヒストリデータを指定して、当該データの検索時表示状態を“ＯＮ”に変更する（ステップＡ５１）。そして、ステップＡ４７で表示させた説明情報を消去させた後（ステップＡ５３）、ステップＡ５５〜Ａ６９の処理を行い、説明情報及び振り仮名を表示させる。
【００６６】
従って、「常時表示」が“ＯＦＦ”であっても、フリガナキー５７０の押下によって振り仮名が説明情報中に併記表示されることとなる。また、検索時表示状態が“ＯＮ”に変更されることにより、検索した見出語の説明情報に振り仮名が併記表示された状態であったという旨の識別情報がヒストリテーブル４５に記憶されることとなる。
【００６７】
ステップＡ４９において、フリガナキー５７０が押下されなかったと判定した場合は（ステップＡ４９：Ｎｏ）、ヒストリテーブル４５の先頭のヒストリデータを指定して、当該データの検索時表示状態が“ＯＮ”であるか否かを判定する（ステップＡ７１）。検索時表示状態が“ＯＮ”であると判定した場合は（ステップＡ７１：Ｙｅｓ）、ステップＡ５３〜Ａ６９の処理を行う。従って、「常時表示」が“ＯＦＦ”で振り仮名を表示しないという設定であっても、指定見出語５５の説明情報が、以前の検索において振り仮名が併記表示されていれば、フリガナキー５７０の押下がなくとも、その説明情報に振り仮名を併記表示することとなる。
【００６８】
ステップＡ４５、Ａ６１、Ａ６５、Ａ６９の処理の後、又はステップＡ７１において検索時表示状態が“ＯＮ”ではないと判定した場合（ステップＡ７１：Ｎｏ）、ＣＰＵ１０は、第１辞書検索処理を終了する。
【００６９】
次に、ユーザの具体的な操作例と、当該操作に伴う表示画面の遷移の様子とを、図８〜１１を用いて説明する。尚、説明の簡便上、表示画面内の行を表す罫線を二点鎖線にて図中に示すが、これは表示画面に表示される線ではない。
【００７０】
先ず、ユーザが、電子辞書１を起動後、英和キー５６０ｂを押下すると、振り仮名設定画面Ｗ１が表示部３０に表示される（図８（ａ））。カーソルキー５２０の左右キーによって「常時表示」及び「表示文字種」の何れかの設定項目を選択し、上下キーによって反転表示Ｍ１又はＭ２を移動して設定内容を選択する。同図（ａ）においては、設定項目「常時表示」は“ＯＦＦ”が反転表示Ｍ１によって、「表示文字種」は「ひらがな」が反転表示Ｍ２によって選択されており、ユーザは、この状態で訳／決定キー５１０を押下することで、初期設定を完了する（図６のステップＡ１〜Ａ３に相当）。
【００７１】
そして、検索画面Ｗ３の文字列の入力欄ＡＲ３に文字列Ｃ３「ａ」を入力して、訳／決定キー５１０を押下すると、「ａ」に適合する見出語の一覧リストＬＳＴ３が表示される（図８（ｂ））（図６のステップＡ５〜Ａ１５ →Ａ１９に相当）。そして、反転表示Ｍ３によって見出語候補「Ａ」を選択して、訳／決定キー５１０を押下すると、見出語「Ａ」の説明情報ＣＴ５が表示される（図８（ｃ））（図７のステップＡ４５〜Ａ４７に相当）。このときの見出語「Ａ」の検索は、初めての検索であるとすると、見出語「Ａ」に対応する見出語番号「４」と、サーチフラグ「通常検索」と、その他のフラグ「フォント大」と、検索時表示状態「ＯＦＦ」とがヒストリテーブル４５に追加記憶される（図７のステップＡ３７→Ａ３９→Ａ４３に相当）。
【００７２】
ユーザは、表示された説明情報ＣＴ５の漢字の読みが分からない場合に、フリガナキー５７０を押下すると、図９（ａ）のように説明情報ＣＴ７が一行おきに表示されて、その行間ＳＰ７には平仮名の振り仮名ＲＢ７が併記表示される（図７のステップＡ５３〜Ａ５９→Ａ６１に相当）。このとき、ヒストリテーブル４５の先頭には、見出語「Ａ」に係るヒストリデータが記憶されており、当該データの検索時表示状態がフリガナキー５７０の押下によって“ＯＮ”に変更され、図５のようなテーブル構成のヒストリテーブル４５となる（図７のステップＡ４９→Ａ５１に相当）。
【００７３】
尚、振り仮名設定画面Ｗ１において「常時表示」を“ＯＮ”に設定した場合は、フリガナキー５７０を押下しなくとも図９（ａ）のように説明情報ＣＴ７内に振り仮名ＲＢ７が併記表示される（図６のステップＡ４５→Ａ５５〜Ａ５９→Ａ６１に相当）。また、このとき、ヒストリテーブル４５の見出語「Ａ」に係るヒストリデータの検索時表示状態は“ＯＮ”に設定される（図６のステップＡ３７→Ａ３９→Ａ４３に相当）。
【００７４】
ユーザが、再度、入力欄ＡＲ９に文字列Ｃ９「ａ」を入力して、訳／決定キー５１０を押下すると、一覧リストＬＳＴ９が表示される（図９（ｂ））。この一覧リストＬＳＴ９では、ヒストリテーブル４５に検索時表示状態が“ＯＮ”として記憶された見出語候補「Ａ」の直前に一行の空行ＳＰ９が設けられ、その空行ＳＰ３に説明情報ＣＴ７の先頭部分である「記号＜英＞（映画〜」の振り仮名ＲＢ９が表示されている（図６のステップＡ１１〜Ａ１５→Ａ１７→Ａ２１→Ａ２３→Ａ２５に相当）。
【００７５】
そして、見出語候補「Ａ」を反転表示Ｍ９で選択して、訳／決定キー５１０を押下すると、フリガナキー５７０を押下しなくとも、図９（ａ）のように振り仮名ＲＢ７が付された説明情報ＣＴ７が表示される（図７のステップＡ４９→Ａ７１→Ａ５３〜Ａ６１に相当）。このように、過去に振り仮名を表示させた説明情報には、自動的に振り仮名を付して表示される。そのため、外国人等の漢字に不慣れなユーザが、一度振り仮名を表示して説明情報を表示したにも関わらず、同じ見出語を再検索したときに、説明情報の読みを忘れてしまった場合に、その検索の度にわざわざ振り仮名を表示させる操作をしなくてもよい。
【００７６】
図１０は、図８（ａ）の振り仮名設定画面Ｗ１において、表示文字種を「カタカナ」に設定した場合の表示例であり、図１１は、表示文字種を「ローマ字」に設定した場合の表示例である。
【００７７】
ユーザは、表示文字種を「カタカナ」に設定して、図８（ｃ）の画面状態でフリガナキー５７０を押下すると、図１０（ａ）のように１行おきに表示された説明情報ＣＴ１１の行間ＳＰ１１に片仮名の振り仮名ＲＢ１１が表示される（図６のステップＡ２３→Ａ２７〜Ａ２９に相当）。そして、入力欄ＡＲ１３に文字列Ｃ１３「ａ」を入力して、訳／決定キー５１０を押下すると、一覧リストＬＳＴ１３が表示され、そのリスト内の空行ＳＰ１３には片仮名の振り仮名が表示されている。この片仮名の振り仮名ＲＢ１３「キゴウ  エイ  エイガ」は、文字変換テーブル４３ｃをもとに図９（ｂ）の振り仮名ＲＢ９「きごう  えい  えいが」が片仮名に変換されたものである（図７のステップＡ５９→Ａ６３〜Ａ６５に相当）。
【００７８】
また、表示文字種を「ローマ字」に設定して、図８（ｃ）の画面状態でユーザがフリガナキー５７０を押下すると、図１１（ａ）のように説明情報ＣＴ１５の行間ＳＰ１５にはローマ字の振り仮名ＲＢ１５が表示される（図６のステップＡ２３→Ａ３１〜Ａ３３に相当）。そして、文字列Ｃ１７「ａ」の入力と、訳／決定キー５１０の押下とを行うと、一覧リストＬＳＴ１７内の空行ＳＰ１７にはローマ字の振り仮名ＲＢ１７が表示される。このローマ字の振り仮名ＲＢ１７「ｋｉｇｏｕ  ｅｉ  ｅｉｇａ」は、図９（ｂ）の振り仮名ＲＢ１３「きごう  えい  えいが」がローマ字に変換されたものである（図６のステップＡ５９→Ａ６７〜Ａ６９に相当）。
【００７９】
このように、振り仮名の文字種をひらがな、カタカナ及びローマ字の中からユーザの嗜好に合わせて選択することができる。また、例えば、ひらがな、カタカナにすら不慣れな外国人は、表示文字種をローマ字に設定すれば、ローマ字の振り仮名が、説明情報の読みの理解により役に立つものとなる。
【００８０】
以上、第１実施形態によれば、「常時表示」が“ＯＮ”の場合、検索された全ての見出語の説明情報に対して振り仮名を併記表示させるが、「常時表示」が“ＯＦＦ”の場合は、検索された見出語のうち、過去に説明情報に振り仮名を併記表示した見出語の説明情報にのみに適切に振り仮名を併記表示させる情報表示制御装置を実現できる。
【００８１】
また、過去に振り仮名を表示させた説明情報の見出語であれば、当該見出語を再検索した際に、その説明情報に振り仮名が併記表示されるため、ユーザは、当該説明情報の読みを忘れてしまった場合等に、再度フリガナキー５７０を押下して振り仮名を表示させるといった操作を行わなくてもよい。
【００８２】
尚、ヒストリテーブル４５の検索時表示状態に基づいて説明情報に振り仮名を併記表示させることとしたが、例えば、その他のフラグに基づいて文字フォントを変えて説明情報を表示させることとしてもよい。具体的には、指定見出語５５の見出語番号がヒストリテーブル４５に既に記憶されている場合に、その見出語番号に対応するその他のフラグを読み出し、当該フラグが「フォント大」であった場合は、説明情報の文字フォントを「大」に、「フォント小」であった場合は、文字フォントを「小」にして表示させる。これにより、過去の検索時と同じ文字フォントで説明情報を表示させることができる。このため、ユーザは、検索した説明情報の表示の度に、文字フォントを変更する必要がなくなる。
【００８３】
〔第２実施形態〕
次に、本発明の情報表示制御装置を適用した電子辞書の第２実施形態について、図１２〜２０を用いて説明する。
【００８４】
第２実施形態における電子辞書１は、図１に示した第１実施形態の操作入力キー群５を従来の図２５の操作入力キー群５００に置き換え、図２に示した第１実施形態のフラッシュＲＯＭ４０を図１２（ａ）のフラッシュＲＯＭ４０−１に、ＲＡＭ５０を図１２（ｂ）のＲＡＭ５０−１に置き換えた構成である。尚、第１実施形態と同一の構成要素には同一の符号を付してその説明を省略する。
【００８５】
図１２（ａ）は、フラッシュＲＯＭ４０−１のデータ構成の一例を示す図である。同図によれば、フラッシュＲＯＭ４０−１は、国語辞典ＤＢ４９と、表示文字種４３ｂ及び文字変換テーブル４３ｃを有して構成される振り仮名設定情報４３−１と、ヒストリテーブル４５−１と、第２辞書検索プログラム４７−１とを備えて構成される。
【００８６】
国語辞典ＤＢ４９は、見出語と当該見出語の説明情報とを対応付けて辞書情報として記憶するデータテーブルである。見出語には、表記見出語と読み見出語とがあり、読み見出語は、語句である表記見出語の読みである。図１３は、国語辞典ＤＢ４９のテーブル構成の一例を示す図である。同図によれば、例えば、読み見出語「かんとうちほう」に、表記見出語「関東地方」と、説明情報「昔の関東八州の地域。今、行政的に・・・」とが対応付けられて記憶されている。
【００８７】
ヒストリテーブル４５−１は、ヒストリ見出語を蓄積的に記憶するデータテーブルであり、ユーザにより検索された見出語（指定見出語５５）を、その検索順にヒストリ見出語として時系列に登録（記憶）する。図１４は、ヒストリテーブル４５−１のテーブル構成の一例を示す図である。同図によれば、「神奈川」、「関東地方」、「埼玉」、・・・といった順にヒストリ見出語が蓄積記憶されており、ヒストリ見出語「神奈川」がユーザにより最後に検索された見出語であることを表している。
【００８８】
第２辞書検索プログラム４７−１は、第２実施形態に係る第２辞書検索処理（図１５及び１６参照）を実現するためのプログラムである。具体的には、ＣＰＵ１０は、国語キー５４０ａが押下されたことを検知すると、第２辞書検索プログラム４７−１をフラッシュＲＯＭ４０−１から読み出すことで、第２辞書検索処理を開始する。
【００８９】
図１２（ｂ）は、ＲＡＭ５０−１のデータ構成の一例を示す図である。同図によれば、ＲＡＭ５０−１は、入力文字列５１と、指定見出語５７と、ジャンプ単語５９とを格納する。指定見出語５７は、表示部３０に一覧表示させた表記見出語の中からユーザにより指定された表記見出語である。
【００９０】
ジャンプ単語５９は、ユーザのジャンプ単語選択操作に従って選択された説明情報中の単語（語句）である。ジャンプ単語選択操作とは、説明情報中の単語の先頭一文字を選択することで、当該単語を選択する操作である。より具体的には、図１７（ｃ）のように説明情報を表示させた後、ジャンプキー５５０ｂを押下し、説明情報中に表示された反転表示Ｍ２５をカーソルキー５２０で移動して、図１８（ａ）のように所望の単語の先頭一文字を選択し、訳／決定キー５１０を押下する操作である。同図（ａ）においては、「関」という一文字を選択することで、「関東地方」がジャンプ単語５９として選択されてＲＡＭ５０−１に記憶される。
【００９１】
次に、第２実施形態における電子辞書１の第２辞書検索処理の具体的な動作について、図１５〜１６のフローチャートを用いて説明する。
【００９２】
先ず、ＣＰＵ１０は、第２辞書検索処理を開始し、ユーザの初期設定操作に応じて、フラッシュＲＯＭ４３−１の表示文字種４３ｂの設定を行い、入力された文字列を入力文字列５１としてＲＡＭ５０−１に記憶する（ステップＢ１〜Ｂ３）。そして、ＣＰＵ１０は、入力文字列５１に適合する読み見出語を検索して、検索した読み見出語以降の読み見出語と表記見出語とを国語辞典ＤＢ４９から読み出して表示部３０に一覧表示させる（ステップＢ５〜Ｂ７）。
【００９３】
次いで、一覧表示させた表記見出語の中から一の表記見出語が指定されるまで待機し、ユーザにより表記見出語が指定されたことを検知した場合は（ステップＢ９：Ｙｅｓ）、その指定された表記見出語を指定見出語５７としてＲＡＭ５０−１に記憶する。そして、指定見出語５７がヒストリ見出語としてヒストリテーブル４５−１に既に記憶されているか否かを判定する（ステップＢ１１）。
【００９４】
記憶済であると判定した場合は（ステップＢ１１：Ｙｅｓ）、指定見出語５７と同一のヒストリ見出語をヒストリテーブル４５−１の先頭へ移動して、ヒストリテーブル４５−１を更新する（ステップＢ１３）。また、記憶済ではないと判定した場合は（ステップＢ１１：Ｎｏ）、指定見出語５７をヒストリ見出語としてヒストリテーブル４５−１に追加記憶する（ステップＢ１５）。
【００９５】
ステップＢ１３又はＢ１５の処理後、ＣＰＵ１０は、指定見出語５７に対応する説明情報を国語辞典ＤＢ４９から読み出して、当該説明情報を一行おきに表示部３０に表示させる（ステップＢ１７）。そして、ヒストリテーブル４５−１からヒストリ見出語を１つ選択し（この選択したヒストリ見出語を以下、「選択ヒストリ見出語」という。）（ステップＢ１９）、選択ヒストリ見出語と完全一致する文字列をステップＢ１７において表示させた説明情報中から検索する（ステップＢ２１）。
【００９６】
ＣＰＵ１０は、検索の結果、選択ヒストリ見出語と完全一致する文字列があったと判定した場合は（ステップＢ２３：Ｙｅｓ）、選択ヒストリ見出語と同一の表記見出語の読み見出語を国語辞典ＤＢ４９から読み出す（ステップＢ２５）。そして、表示文字種４３ｂを判定して、その判定結果に基づいて当該読み見出語の文字変換及び表示を行う。
【００９７】
表示文字種４３ｂが「ひらがな」であると判定した場合（ステップＢ２７：ひらがな）、ＣＰＵ１０は、読み出した読み見出語をステップＢ２１において検索した説明情報中の文字列の近傍、例えば、当該文字列の上部に表示（併記表示）させる（ステップＢ２９）。
【００９８】
また、表示文字種４３ｂが「カタカナ」であると判定した場合は（ステップＢ２７：カタカナ）、ＣＰＵ１０は、読み出した読み見出語を片仮名に変換した後、当該読み見出語を検索した文字列の近傍に併記表示させる（ステップＢ３１〜Ｂ３３）。
【００９９】
また、表示文字種４３ｂが「ローマ字」であると判定した場合は（ステップＢ２７：ローマ字）、ＣＰＵ１０は、読み出した読み見出語をローマ字に変換した後、当該読み見出語を検索した見出語の近傍に併記表示させる（ステップＢ３５〜Ｂ３７）。
【０１００】
ＣＰＵ１０は、ステップＢ２９、Ｂ３３又はＢ３７の処理後、ステップＢ２３において選択ヒストリ見出語と一致する文字列が説明情報中にないと判定した場合は（ステップＢ２３：Ｎｏ）、ヒストリテーブル４５−１に選択する次のヒストリ見出語があるか否かを判定し（ステップＢ３９）、あると判定した場合は（ステップＢ３９：Ｙｅｓ）、ステップＢ１９へ処理を移行して、ステップＢ１９〜Ｂ３７の処理を繰り返す。
【０１０１】
このステップＢ１９〜Ｂ３７の処理により、ヒストリテーブル４５に記憶されているヒストリ見出語、即ち、過去に検索された表記見出語と一致する説明情報中の文字列の近傍に、その読み見出語が振り仮名として併記表示されることとなる。
【０１０２】
ステップＢ３９において、次のヒストリ見出語がないと判定した場合（ステップＢ３９：Ｎｏ）、ＣＰＵ１０は、ジャンプキー５５０ｂが押下されたか否かを判定し（ステップＢ４１）、押下されなかったと判定した場合は（ステップＢ４１：Ｎｏ）、第２辞書検索処理を終了する。
【０１０３】
また、ジャンプキー５５０ｂが押下されたと判定した場合は（ステップＢ４１：Ｙｅｓ）、ユーザのジャンプ単語選択操作を検知するまで待機し（ステップＢ４３）、当該操作を検知した場合は（ステップＢ４３：Ｙｅｓ）、選択された単語をジャンプ単語５９としてＲＡＭ５０−１に記憶する。
【０１０４】
そして、ジャンプ単語５９に適合する表記見出語を国語辞典ＤＢ４９の表記見出語の中から検索する（ステップＢ４５）。ＣＰＵ１０は、検索した表記見出語とその読み見出語とを表示部３０に一覧表示させた後（ステップＢ４７）、その表記見出語の中から一の表記見出語がユーザによって指定されるまで待機する（ステップＢ４９）。
【０１０５】
表記見出語が指定されたことを検知した場合は（ステップＢ４９：Ｙｅｓ）、指定された表記見出語を指定見出語５７としてＲＡＭ５０−１に記憶して、ステップＢ１１の処理へ移行する。このため、ジャンプ単語５９に適合する表記見出語の中から指定された表記見出語もヒストリテーブル４５−１に登録されていく。
【０１０６】
次に、第２実施形態におけるユーザの具体的な操作例と、当該操作に伴う表示画面の遷移の様子とを、図１７〜２０を用いて説明する。
【０１０７】
先ず、ユーザが、電子辞書１を起動後、国語キー５６０ａを押下すると、振り仮名設定画面Ｗ１９が表示部３０に表示される（図１７（ａ））。そして、カーソルキー５２０の上下キーによって反転表示Ｍ１９を移動して表示文字種を選択する。図１７（ａ）においては、「ひらがな」を選択した後、訳／決定キー５１０を押下して初期設定を完了する（図１５のステップＢ１に相当）。
【０１０８】
そして、検索画面Ｗ２１の入力欄ＡＲ２１に文字列Ｃ２１「さいたま」を入力して、訳／決定キー５１０を押下すると、「さいたま」に適合する読み見出語と当該読み見出語の表記見出語の一覧リストＬＳＴ２１が表示される（図１７（ｂ））（図１５のステップＢ３〜Ｂ７に相当）。
【０１０９】
ユーザが、反転表示Ｍ２１で「さいたま〔埼玉〕」を選択して、訳／決定キー５１０を押下すると、表記見出語「埼玉」の説明情報ＣＴ２３が一行おきに表示される（図１７（ｃ））（図１５のステップＢ１７に相当）。このとき、指定見出語５７となる「埼玉」が、ヒストリテーブル４５−１にヒストリ見出語として追加記憶される（図１５のステップＢ１１→Ｂ１５に相当）。
【０１１０】
続いて、ジャンプキー５５０ｂを押下して、説明情報ＣＴ２５中に表示された反転表示Ｍ２５によって単語ＷＤ２５「関東地方」の先頭の「関」を選択して、訳／決定キー５１０を押下すると、「関東地方」と前方一致する表記見出語の一覧リストＬＳＴ２７が表示される（図１８（ｂ））（図１６のステップＢ４１→Ｂ４３→Ｂ４５〜Ｂ４７に相当）。
【０１１１】
ユーザは、一覧リストＬＳＴ２７中の「かんとうちほう〔関東地方〕」を反転表示Ｍ２７によって指定して訳／決定キー５１０を押下すると、「かんとうちほう〔関東地方〕」の説明情報ＣＴ２９が表示される（図１８（ｃ））。このとき、指定見出語５７である表記見出語「関東地方」がヒストリテーブル４５−１に追加記憶される（図１６のステップＢ４９→Ｂ１１→Ｂ１５〜Ｂ１７に相当）。
【０１１２】
この説明情報ＣＴ２９には、「埼玉」という語句の上部の空行ＳＰ２９に平仮名の振り仮名ＲＢ２９「さいたま」が表示されている。これは、図１７において検索された表記見出語「埼玉」がヒストリテーブル４５−１に既に記憶されており、その表記見出語が説明情報ＣＴ２９中に含まれているために、表記見出語「埼玉」に対応する読み見出語「さいたま」がＣＰＵ１０により読み出されて表示されたものである（図１５のステップＢ２３→Ｂ２５〜Ｂ２７→Ｂ２９に相当）。
【０１１３】
上述した「埼玉」の検索と同様に、ユーザが「神奈川」を検索すると、表記見出語「神奈川」の説明情報ＣＴ３１が表示される（図１９（ａ））。このとき、ヒストリテーブル４５−１には指定見出語５７である「神奈川」がヒストリ見出語として記憶され、ヒストリテーブル４５−１は図１４のようなテーブル構成となる。
【０１１４】
この説明情報ＣＴ３３中の語句ＷＤ３１「関東地方」の上部の空行ＳＰ３１には、平仮名の振り仮名ＲＢ３１「かんとうちほう」が表示されている。これは、図１８でのジャンプ検索により検索されて、ヒストリテーブル４５−１に登録された表記見出語「関東地方」が説明情報ＣＴ３３中に含まれているために、表記見出語「関東地方」に対応する読み見出語「かんとうちほう」がＣＰＵ１０により読み出されて表示されたものである（図１５のステップＢ２３→Ｂ２５〜Ｂ２７→Ｂ２９に相当）。
【０１１５】
ユーザが、ヒストリキー５５０ａを押下すると、ヒストリテーブル４５−１の内容となるヒストリ一覧リストＬＳＴ３３が表示される（図１９（ｂ））。ヒストリ一覧リストＬＳＴ３３には、図１８（ｃ）において表示された振り仮名ＲＢ２９「さいたま」や、図１９（ａ）において表示された振り仮名ＲＢ３１「かんとうちほう」の表記見出語が含まれている。
【０１１６】
このように、通常検索やジャンプ検索等によって過去に検索した表記見出語と同一の文字列が、説明情報中に含まれていた場合には、その文字列に振り仮名が付されて表示される。このため、ユーザは、過去に検索した語句が説明情報中に含まれていた場合に、その読みを調べるために同じ語句を再検索することなく、その読みを知ることができる。
【０１１７】
図２０（ａ）は、図１７（ａ）において表示文字種を「カタカナ」に設定した場合の表示例であり、図２０（ｂ）は、「ローマ字」設定した場合の表示例である。
【０１１８】
図２０（ａ）によれば、図１９（ａ）の振り仮名ＲＢ３１「かんとうちほう」が片仮名に変換されて振り仮名ＲＢ３５「カントウチホウ」として表示されている（図１５のステップＢ２７→Ｂ３１〜Ｂ３３に相当）。また、図２０（ｂ）によれば、振り仮名ＲＢ３１がローマ字に変換されて振り仮名ＲＢ「ｋａｎｔｏｕｃｈｉｈｏｕ」として表示されている（図１５のステップＢ２７→Ｂ３１〜Ｂ３３に相当）。
【０１１９】
以上、第２実施形態によれば、通常検索やジャンプ検索により検索された表記見出語をヒストリテーブル４５−１に蓄積記憶していき、ヒストリ見出語と完全一致する文字列が表示中の説明情報中に含まれている場合は、ヒストリ見出語の読み（読み見出語）が当該文字列の近傍に振り仮名として併記表示される。このため、過去に検索した語句にのみに適切に振り仮名が表示されるため、説明情報の全ての漢字に振り仮名が振られて見苦しくなることはない。また、過去に検索したしたにも関わらず説明情報中に表示された語句の読みを忘れてしまうといったことがしばしばあるが、そのような場合であっても、わざわざ当該読みを再考したり調べるための操作をすることなく、表示される振り仮名によって直ぐにその読みを知ることができる。また、読みを１度調べたこと自体を、その振り仮名によって認知することもできる。
【０１２０】
次に、見出語の一覧表示において振り仮名を表示する場合の第１及び第２変形例を図２１〜２４を用いて説明する。
【０１２１】
〔第１変形例〕
先ず、国語辞典ＤＢの見出語の一覧表示において振り仮名を表示する場合の第１変形例について説明する。図２１は、第１変形例における国語辞典ＤＢ４９−１のテーブル構成の一例を示す図である。
【０１２２】
図２１によれば、国語辞典ＤＢ４９−１は、読み見出語及び表記見出語を含む見出語と、説明情報と、見出語振り仮名とを対応付けて格納している。見出語振り仮名とは、見出語の一覧表示において表示させる振り仮名である。
【０１２３】
図２２は、第１変形例における表示画面の一例である。ユーザにより入力欄ＡＲ３９に文字列Ｃ３９「あ」が入力されて、訳／決定キー５１０が押下されると、「あ」に適合する読み見出語が国語辞典ＤＢ４９−１から検索されて、検索された読み見出語の表記見出語と共に一覧リストＬＳＴ３９として表示される（図２２（ａ））。
【０１２４】
そして、ユーザによりフリガナキー５７０が押下されたことを検知すると、ＣＰＵ１０は、一覧リストＬＳＴ３９内の表記見出語に対応する見出語振り仮名を国語辞典ＤＢ４９−１から読み出して、振り仮名一覧ＲＢ４１として表示させる（図２２（ｂ））。尚、この振り仮名一覧ＲＢ４１は、図２２（ｃ）のように、ローマ字に変換して振り仮名一覧ＲＢ４３として表示させることとしてもよいし、カタカナに変換して表示させることとしてもよい。
【０１２５】
〔第２変形例〕
次に、漢和辞典ＤＢの一覧表示において振り仮名を表示する場合の第２変形例について説明する。図２３は、第２変形例における漢和辞典ＤＢ４２のテーブル構成の一例を示す図である。
【０１２６】
図２３によれば、漢和辞典ＤＢ４２は、読み見出語及び表記見出語を含む見出語と、説明情報とを対応付けて格納している。説明情報は、表記見出語の画数、字音、常読及び意味を有して構成される。
【０１２７】
図２４は、第２変形例における表示画面の一例である。ユーザにより総画数入力欄ＡＲ４５に画数Ｃ４５として「２」が入力された後、訳／決定キー５１０が押下されると、説明情報中の画数が２画である表記見出語が漢和辞典ＤＢ４２から読み出されて、漢字リストＬＳＴ４５として表示される（図２４（ａ））。
【０１２８】
そして、ユーザによりフリガナキー５７０が押下されたことを検知すると、ＣＰＵ１０は、図２４（ａ）で表示させた漢字リストＬＳＴ４５を表示部３０から消去して、読み出した表記見出語を一行おきに漢字リストＬＳＴ４７として表示させる。そして、漢字リストＬＳＴ４７内の表記見出語に対応する読み見出語を当該表記見出語上部の空行ＳＰ４７に表示させる（図２４（ｂ））。尚、この表示させた読み見出語は、図２４（ｃ）のように、片仮名に変換して表示させることとしてもよいし、ローマ字に変換して表示させることとしてもよい。
【０１２９】
このように第１及び第２変形例によれば、フリガナキー５７０を押下するといった簡単な操作によって、表示中の表記見出語に対して振り仮名を表示させることができる。このため、ユーザは、その振り仮名によって、一覧表示中の表記見出語の読みを知ることができる。
【０１３０】
尚、上述した実施形態では、表示文字種をひらがな、カタカナ及びローマ字の３種としたが、例えば、ハングル語や中国語等、他の外国語の文字種を設けることとしても良い。これにより、より多くの言語で、振り仮名の表示が可能となるため、特に外国人のユーザの幅を広げることができる。
【０１３１】
また、本実施形態では電子辞書等を含む電子辞書を適用例として説明したが、このような製品に限定されず、携帯電話、パソコン、電子時計、ＰＤＡ（Personal Digital Assistants）等の電子機器全般に適用可能である。
【図面の簡単な説明】
【０１３２】
【図１】（ａ）は電子辞書の概観図の一例、（ｂ）は電子辞書のキー配列の一例を示す図。
【図２】電子辞書の機能構成の一例を示すブロック図。
【図３】英和辞書ＤＢのテーブル構成の一例を示す図。
【図４】文字変換テーブルのテーブル構成の一例を示す図。
【図５】第１実施形態におけるヒストリテーブルのテーブル構成の一例を示す図。
【図６】第１実施形態における第１辞書検索処理を説明するための第１のフローチャート。
【図７】第１実施形態における第１辞書検索処理を説明するための第２のフローチャート。
【図８】第１実施形態における電子辞書の画面例を示す第１の図。
【図９】第１実施形態における電子辞書の画面例を示す第２の図。
【図１０】第１実施形態における電子辞書の画面例を示す第３の図。
【図１１】第１実施形態における電子辞書の画面例を示す第４の図。
【図１２】第２実施形態における（ａ）はフラッシュＲＯＭのデータ構成の一例を示す図、（ｂ）はＲＡＭのデータ構成の一例を示す図。
【図１３】第２実施形態における国語辞典ＤＢのテーブル構成の一例を示す図。
【図１４】第２実施形態におけるヒストリテーブルのテーブル構成の一例を示す図。
【図１５】第２実施形態における第２辞書検索処理を説明するための第１のフローチャート。
【図１６】第２実施形態における第２辞書検索処理を説明するための第２のフローチャート。
【図１７】第２実施形態における電子辞書の画面例を示す第１の図。
【図１８】第２実施形態における電子辞書の画面例を示す第２の図。
【図１９】第２実施形態における電子辞書の画面例を示す第３の図。
【図２０】第２実施形態における電子辞書の画面例を示す第４の図。
【図２１】第１変形例における国語辞典ＤＢのテーブル構成の一例を示す図。
【図２２】第１変形例における電子辞書の画面例を示す図。
【図２３】第２変形例における漢和辞典ＤＢのテーブル構成の一例を示す図。
【図２４】第２変形例における電子辞書の画面例を示す図。
【図２５】（ａ）は従来の電子辞書の概観図の一例、（ｂ）は従来の電子辞書のキー配列の一例を示す図。
【図２６】従来の電子辞書の画面例を示す図。
【符号の説明】
【０１３３】
１     電子辞書
３     ディスプレイ
５     操作入力キー群
５７０ フリガナキー
１０   ＣＰＵ
２０   入力部
３０   表示部
４０   フラッシュＲＯＭ
４１   英和辞書ＤＢ
４３   振り仮名設定情報
４３ａ 常時表示ＯＮ／ＯＦＦ
４３ｂ 表示文字種
４３ｃ 文字変換テーブル
４５   ヒストリテーブル
４７   第１辞書検索プログラム
５０   ＲＡＭ
５１   入力文字列
５３   見出語候補リスト
５５   指定見出語
６０   バス
【図１】
2006099695.tif 000003
【図２】
2006099695.tif 000004
【図３】
2006099695.tif 000005
【図４】
2006099695.tif 000006
【図５】
2006099695.tif 000007
【図６】
2006099695.tif 000008
【図７】
2006099695.tif 000009
【図８】
2006099695.tif 000010
【図９】
2006099695.tif 000011
【図１０】
2006099695.tif 000012
【図１１】
2006099695.tif 000013
【図１２】
2006099695.tif 000014
【図１３】
2006099695.tif 000015
【図１４】
2006099695.tif 000016
【図１５】
2006099695.tif 000017
【図１６】
2006099695.tif 000018
【図１７】
2006099695.tif 000019
【図１８】
2006099695.tif 000020
【図１９】
2006099695.tif 000021
【図２０】
2006099695.tif 000022
【図２１】
2006099695.tif 000023
【図２２】
2006099695.tif 000024
【図２３】
2006099695.tif 000025
【図２４】
2006099695.tif 000026
【図２５】
2006099695.tif 000027
【図２６】
2006099695.tif 000028